(57)【要約】      （修正有）【課題】部材数が少なく簡単に組み立てることができるうえに、立たせることが可能なペーパークラフトを提供する。【解決手段】シート材に印刷された型紙から立体模型が形成されるペーパークラフトであって、シート材１１には型紙として、脚部３２を有する胴体部３と、胴体部に端部が挿し込まれる腕部４と、胴体部に挿入部５１１が挿し込まれる頭部５とが設けられている。さらに、脚部の下方には長尺片状の足部３３が設けられており、足部は、脚部の延伸方向に延びる中心線３２１に対して左右対称であるとともに、中間部に折返し線３３１が横断され、かつ脚部との境界となる上縁は中心線に向けて山形となる立上げ線３３２が形成されている。【選択図】図２
2019033871.tif 000002
【特許請求の範囲】
【請求項１】
シート材に印刷された型紙から立体模型が形成されるペーパークラフトであって、
前記シート材には型紙として、
脚部を有する胴体部と、
前記胴体部に端部が挿し込まれる腕部と、
前記胴体部に下端が挿し込まれる頭部とが設けられ、
前記脚部の下方には長尺片状の足部が設けられており、
前記足部は、前記脚部の延伸方向に延びる中心線に対して左右対称であるとともに、中間部に折返し線が横断され、かつ前記脚部との境界となる上縁は前記中心線に向けて山形となる立上げ線が形成されていることを特徴とするペーパークラフト。
【請求項２】
前記立体模型となったときに前記胴体部の両側面となる位置には、それぞれ多角形の穴部が形成されるとともに、
前記腕部の上端には、前記穴部に挿し込まれるＴ字形の挿込部が形成されることを特徴とする請求項１に記載のペーパークラフト。
【請求項３】
前記挿込部となる型紙は、前記腕部の延伸方向と略直交する両方向にそれぞれ突出されるＴ字形の挿込片を重ね合わせることによって形成されることを特徴とする請求項２に記載のペーパークラフト。
【請求項４】
前記シート材には型紙として、マント部が設けられており、
前記マント部の上部は前記胴体部の上端を覆うように形成されるとともに、前記頭部の首部を挿し込む切込部が形成されていることを特徴とする請求項１乃至３のいずれか１項に記載のペーパークラフト。
【発明の詳細な説明】
【技術分野】
【０００１】
本発明は、シート材に印刷された型紙から立体模型が形成されるペーパークラフトに関するものである。
【背景技術】
【０００２】
特許文献１に開示されているように、一枚の紙に印刷された型紙を切り抜き、切り抜かれた各パーツを組み合わせることで、ロボットや人形などの立体模型が製作できることが知られている。
【０００３】
この特許文献１に開示されたペーパークラフトは、一方の部材に設けられた穴やスリットに、直交する向きから他方の部材を挿し込むことによって部位同士を接続していく構成となっており、細かいパーツを多く使用する。
【０００４】
また、特許文献２に開示されている折紙製ロボット玩具は、ロボット本体と台座とが分かれているうえに、頭部と身体部及び身体部と手部とを円柱状の紙製連接筒によって接続させる構成となっている。
【先行技術文献】
【特許文献】
【０００５】
【特許文献１】実開昭５９−７６２９４号公報
【特許文献２】実開昭５６−８１７８１号公報
【発明の概要】
【発明が解決しようとする課題】
【０００６】
しかしながら特許文献１，２に開示されている立体模型のように、立たせたり、関節で回転させたりするために細かいパーツが多くなると、組み立てに手間がかかるようになる。
【０００７】
特に特許文献２の立体模型は、紙製連接筒が小さいパーツになるため、挿し込みや固定などの組み付けが難しいうえに、可動時に外れたり損傷したりするおそれがある。
【０００８】
そこで、本発明は、部材数が少なく簡単に組み立てることができるうえに、立たせることが可能なペーパークラフトを提供することを目的としている。
【課題を解決するための手段】
【０００９】
前記目的を達成するために、本発明のペーパークラフトは、シート材に印刷された型紙から立体模型が形成されるペーパークラフトであって、前記シート材には型紙として、脚部を有する胴体部と、前記胴体部に端部が挿し込まれる腕部と、前記胴体部に下端が挿し込まれる頭部とが設けられ、前記脚部の下方には長尺片状の足部が設けられており、前記足部は、前記脚部の延伸方向に延びる中心線に対して左右対称であるとともに、中間部に折返し線が横断され、かつ前記脚部との境界となる上縁は前記中心線に向けて山形となる立上げ線が形成されていることを特徴とする。
【００１０】
ここで、前記立体模型となったときに前記胴体部の両側面となる位置には、それぞれ多角形の穴部が形成されるとともに、前記腕部の上端には、前記穴部に挿し込まれるＴ字形の挿込部が形成される構成とすることができる。この前記挿込部となる型紙は、前記腕部の延伸方向と略直交する両方向にそれぞれ突出されるＴ字形の挿込片を重ね合わせることによって形成させることができる。
【００１１】
また、前記シート材には型紙として、マント部が設けられており、前記マント部の上部は前記胴体部の上端を覆うように形成されるとともに、前記頭部の首部を挿し込む切込部が形成されている構成とすることができる。
【発明の効果】
【００１２】
このように構成された本発明のペーパークラフトは、脚部を有する胴体部と、胴体部に端部が挿し込まれる腕部と、胴体部に下端が挿し込まれる頭部という少ない部材で基本形状が構成されている。
【００１３】
このため、簡単に組み立てることができる。そして、脚部の下方に設けられた足部の折返し線と脚部との境界となる立上げ線を折り曲げるだけで、立体模型を立たせることができる。
【００１４】
また、胴体部の両側面となる位置にそれぞれ多角形の穴部が形成されて、その穴部に腕部の上端のＴ字形の挿込部を挿し込む構成であれば、多角形の角部ごとに腕部の回転を止めることが可能になるので、腕部を所望する角度にして飾ることができる。このような挿込部は、腕部の延伸方向と略直交する両方向にそれぞれ突出されるＴ字形の挿込片を重ね合わせることで、簡単に設けることができる。
【００１５】
さらに、シート材に型紙としてマント部が設けられていて、胴体部の上端を覆ったマント部の切込部に頭部の首部を挿し込む構成であれば、胴体部と頭部とを簡単に接続することができる。
【図面の簡単な説明】
【００１６】
【図１】本実施の形態のペーパークラフトの完成形を例示した斜視図である。
【図２】本実施の形態のペーパークラフトが印刷されたシート材の構成を説明する図で、（ａ）は表面の平面図、（ｂ）は裏面の平面図である。
【図３】シート材に重ねる台座シートの構成を説明する図で、（ａ）は表面の平面図、（ｂ）は裏面の平面図である。
【図４】脚部の下方の足部の組み立て方法を説明する図で、（ａ）は組み立て前の状態を示した拡大平面図、（ｂ）は折返し線と立上げ線を折り曲げている途中の状態を示した斜視図、（ｃ）は完成した足部及び脚部を側方から見た側面図である。
【図５】腕部の上端の構成及び胴体部の六角穴との関係を説明する図で、（ａ）は挿込片を重ね合わせて挿込部にする工程を説明する斜視図、（ｂ）は挿込部を六角穴に挿し込んだ状態を示した斜視図、（ｃ）は挿込部の狭隘部と六角穴の角部との位置関係を示した説明図である。
【図６】胴体部にマント部及び頭部を組み付ける方法を説明する斜視図である。
【発明を実施するための形態】
【００１７】
以下、本発明の実施の形態のペーパークラフトについて図面を参照して説明する。図１は、本実施の形態のペーパークラフトの完成形を例示した斜視図である。
【００１８】
また、図２は、ペーパークラフトである人形模型１となる型紙が印刷されたシート材１１の構成を説明する図で、図２（ａ）は表面１１ａ、図２（ｂ）は裏面１１ｂの平面図である。この型紙をシート材１１から切り抜いて組み付けると、立体模型となる人形模型１が形成される。
【００１９】
シート材１１には、紙が使用できる。なおシート材１１は、紙に限定されるものではなく、合成樹脂などのシート、膜、薄板など、厚みが薄い可撓性の面状材であればよい。
【００２０】
このシート材１１には、少なくとも表面１１ａに、型紙及び人形模型１の露出面として必要となる図や文字情報などの印刷が施されている。また、シート材１１の裏面１１ｂにも、少なくとも立体にしたときに見える箇所には印刷が施されている。
【００２１】
このシート材１１は、図３に示した台座シート２に重ねた状態で配布される。例えば台座シート２の表面２ａの上縁とシート材１１の裏面１１ｂの上縁とが、剥離可能な糊で接着されて、一体の積層状態で配布される。
【００２２】
ここで、図３（ａ）は台座シート２の表面２ａ、図３（ｂ）は台座シート２の裏面２ｂの平面図を示している。この台座シート２の表面２ａは、人形模型１を飾るためのスタンド領域２１、背景領域２２及び支え領域２３と３等分の長方形に区画されて、少なくともスタンド領域２１及び背景領域２２には、それ用の印刷が施される。また、台座シート２の裏面２ｂには、組み立て方法や広告などの図や文字情報などの印刷を施すことができる。
【００２３】
シート材１１には、図２に示すように型紙として、脚部３２，３２を有する胴体部３と、胴体部３に端部が挿し込まれる腕部４，４と、胴体部３に下端が挿し込まれる頭部５と、人形模型１の各部位を構成する複数のパート部（６，７）とが主に設けられている。
【００２４】
胴体部３は、長方形状の胴部３１と、胴部３１から下方に延伸される一対の脚部３２，３２と、脚部３２，３２の下方にそれぞれ設けられる足部３３，３３とが一体に設けられる。この胴体部３の外縁のように、切取線となる箇所は、例えば点状にアンカット部を残して予め切り込ませておくことができる。また、ミシン目状の切取線や印刷のみの切取線であってもよい。以下、各型紙の切取線については、同様の構成となる。
【００２５】
胴部３１の両側面となる位置の上部には、それぞれ多角形の穴部が形成される。本実施の形態では、穴部として六角穴３４，３４を設けた場合を例に説明する。また、胴部３１の一方の側縁には、帯状に接着片３１２が設けられる。
【００２６】
一対の脚部３２，３２間には、切取線となる分離線３２４がＵ字状の股から下方に向けて直線状に設けられる。この垂下された分離線３２４を挟んで左右対称に設けられる脚部３２は、長尺片状の足部３３が突出される前面となる部分と、筒状の脚部３２の後面部３２２となる部分が隣接して設けられる。この後面部３２２と胴部３１との境界には、切込線３２５が設けられる。また、後面部３２２の下端には、三角形状の糊代３２３が設けられる。
【００２７】
脚部３２から突出される足部３３は、脚部３２の延伸方向に延びる中心線３２１に対して左右対称であるとともに、中間部に折返し線３３１が横断される。また、脚部３２との境界となる足部３３の上縁には、中心線３２１に向けて上り勾配となる山形の立上げ線３３２が形成される。ここで、折返し線３３１と立上げ線３３２との間の五角形部分を、重ね部３３３と呼ぶこととする。
【００２８】
この胴体部３に取り付けられる複数のパート部には、腕部４，４と、頭部５と、マント部６と、シッポ部７とがある。以下、順を追ってシート材１１に設けられるそれぞれの型紙について説明する。
【００２９】
腕部４には、手部４３と肘部４４とが設けられるとともに、上端４ａには、胴部３１の六角穴３４に挿し込まれる挿込部４１となる挿込片４１ａ，４１ａが設けられる。
【００３０】
挿込部４１は、Ｔ字形の挿込片４１ａ，４１ａを重ね合わせてＴ字形に形成される。挿込片４１ａは、腕部４の延伸方向（中心線４２の延伸方向）と略直交する両方向にそれぞれ突出される。肘部４４は、関節のように「くの字状」に折り曲げることができる。
【００３１】
続いて頭部５としては、本体となる顔面部５０と、顔面部５０に取り付けられる鼻部５５と、後頭部５２、頭頂部５３及び首部５１とが設けられる。顔面部５０には、目や口などの印刷が施されている。そして、顔面部５０の口の上方には、鼻部５５の挿入片５５１，５５１を挿し込むためのスリット５４，５４が設けられる。
【００３２】
後頭部５２と頭頂部５３と首部５１とは、一体の型紙として設けられる。すなわち、顔面部５０に対峙させる後頭部５２と、後頭部５２の上縁から水平方向に折り曲げられる頭頂部５３と、頭頂部５３の内側縁から折り曲げられて垂下される首部５１とを備えている。この首部５１の下端には、挿入部５１１が設けられる。
【００３３】
そして、首部５１及び挿入部５１１は、中心線５１２によって山折りに折り曲げられる。また、挿入部５１１は首部５１より幅が狭く形成され、首部５１と挿入部５１１との間には段差ができる。
【００３４】
一方、マント部６は、上部６ａに胴体部３の上端３ａを覆う蓋と前垂部６２とを備えている。そして、上部６ａの蓋となる部分には、首部５１の挿入部５１１を挿し込む切込部６１が山形に形成される。この切込部６１は、挿入部５１１を中心線５１２で山折りにしたときとほぼ同じ形状で、首部５１より小さく形成される。
【００３５】
また、マント部６の裏面１１ｂ側には、胴部３１の胸と背中に貼り付けるための糊代６２１，６３が設けられる。同じくシッポ部７の裏面１１ｂ側にも、胴部３１の背中に貼り付けるための糊代７１が設けられる。
【００３６】
次に、本実施の形態のペーパークラフトの組み立て方法について説明する。ペーパークラフトとして配布される台座シート２に重ねて貼り付けられたシート材１１は、図２に示すように平面状である。この図では、シート材１１は３つの長方形の区分に分かれているが、１枚の連続したシートであってもよい。
【００３７】
シート材１１に設けられた胴体部３、腕部４，４、頭部５、マント部６及びシッポ部７となる型紙は、点状に残されたアンカット部やミシン目によってシート材１１と繋がっている場合は、簡単に取り外すことができる。
【００３８】
取り外された各型紙の裏面１１ｂ側にある糊代３１１，３２３，４１ｂ，５２１，６３，７１には、組み立てる際に必要となる糊などの接着剤が予め塗布されている。すなわち、シート材１１の裏面１１ｂは、台座シート２の表面２ａに重ねられるため、予め糊を塗布しておくことができる。
【００３９】
具体的には、糊代３１１，３２３，４１ｂ，５２１，６３，７１に、予めアクリル系粘着剤などのシール用の糊を塗布した粘着層を設けておくことができる。一方、台座シート２の表面２ａには、ＵＶシリコーンなどのコーティング剤を塗布して剥離面となるようにしておけばよい。なお、糊代３１１，３２３，４１ｂ，５２１，６３，７１に組み立て時に糊を塗布する構成であってもよい。
【００４０】
ペーパークラフトの組み立てに際しては、まず、胴体部３の組み立てを行う。胴体部３の胴部３１は、接着片３１２を糊代３１１に重ね合わせることによって円筒状に成形することができる（図６参照）。
【００４１】
胴体部３の足部３３の組み立てについては、図４を参照しながら説明する。図４（ａ）は、型紙となる胴体部３の片方の脚部３２及び足部３３を拡大して示している。図４（ｂ）の斜視図に示すように、足部３３の中間部の折返し線３３１を谷折りに折り曲げつつ、立上げ線３３２を山折りに折り曲げる。
【００４２】
この際、中心線３２１は、折返し線３３１より先端側の足部３３では山折りとなり、折返し線３３１と立上げ線３３２との間の重ね部３３３では、谷折りとなる。
【００４３】
そして、図４（ｃ）に示すように、山形の断面に成形された足部３３後方の上に、重ね部３３３を重ね合わせる。さらに、脚部３２のふくらはぎ側に折り曲げられた後面部３２２の下端部の糊代３２３を、重ね部３３３の上面に貼り付ける。このように足部３３は、折り曲げるだけで簡単に組み立てることができる。
【００４４】
続いて、腕部４の組み立てについて図５を参照しながら説明する。図５（ａ）に示すように、型紙となる腕部４は、中心線４２で谷折りに折り曲げて、腕部４の上端４ａにおいては、挿込片４１ａ，４１ａ同士を重ね合わせる。
【００４５】
すなわち、谷状（Ｖ字状）に折り曲げられた腕部４の上端４ａでは、横断部４１３が架け渡されるとともに、横断部４１３に直交する方向に突出する挿込部４１が形成される。この挿込部４１は、基部４１２及びその上方のＴ字形の部分が、糊代４１ｂに塗布された接着剤によって接着される。
【００４６】
このようにして組み立てられた腕部４の挿込部４１は、図５（ｂ）に示すように、胴部３１の六角穴３４の内形に収まるように狭隘部４１１より先が折り曲げられて、胴部３１の外側から六角穴３４に通される。六角穴３４を通過した後は、折り曲げられていた挿込部４１は広がって、六角穴３４には長方形状の狭隘部４１１が収容された状態となる。
【００４７】
この狭隘部４１１の幅は、図５（ｃ）に示すように、六角穴３４の対角線と略同じ長さに形成されている。このため、腕部４を回転させることで狭隘部４１１が回ったときに、六角穴３４の角部ごとに狭隘部４１１が引っ掛かり、回転を止めることができる。
【００４８】
円筒状に組み立てられた胴体部３の上端３ａは、図６に示すように、マント部６の上部６ａによって塞ぐ。マント部６の固定は、前垂部６２の糊代６２１を胴部３１の胸に貼り付けることと、糊代６３を胴部３１の背中に貼り付けることで行う。
【００４９】
一方、頭部５の組み立ては、後頭部５２の組み立てから行う。後頭部５２の上縁には頭頂部５３が連続しているので、鉛直面となるようにした後頭部５２の上縁を折り曲げて、水平面となる頭頂部５３を設ける。
【００５０】
この頭頂部５３には首部５１が連続しているので、首部５１が垂下されるように折り曲げて、断面視二等辺三角形状の挿入部５１１を下方に向けて突出させる。
【００５１】
そして、後頭部５２の両側縁の糊代５２１，５２１に対して、顔面部５０の両側縁の背面側を貼り付ける。さらに、顔面部５０のスリット５４，５４に対しては、鼻部５５の挿入片５５１，５５１をそれぞれ挿し込む。
【００５２】
このようにして組み立てられた頭部５は、挿入部５１１をマント部６の上部６ａの切込部６１に挿し込むことで、胴体部３に組み付けられる。ここで、挿入部５１１と首部５１との間には段差があるため、その段差が上部６ａに載置されて首部５１を露出させることができる。また、シッポ部７は、糊代７１を胴部３１の背中の下部に貼り付けることで、固定することができる。
【００５３】
このようにして組み立てられた人形模型１は、図１に示すように、台座シート２のスタンド領域２１の上に飾ることができる。この台座シート２は、水平に設置されるスタンド領域２１に対して背景領域２２が斜めに立ち上げられ、背景領域２２の上縁で下方に向けて折り曲げられた支え領域２３によって、背景を備えた台座としての形状が保持される。
【００５４】
次に、本実施の形態のペーパークラフトであるシート材１１から製作される人形模型１の作用について説明する。
【００５５】
このように構成された本実施の形態のペーパークラフトは、脚部３２，３２を有する胴体部３と、端部に設けられた挿込部４１が胴体部３に挿し込まれる腕部４，４と、下端の挿入部５１１が胴体部３に挿し込まれる頭部５という少ない部材で基本形状が構成されている。
【００５６】
このため、簡単に組み立てることができる。そして、脚部３２の下方に設けられた足部３３の折返し線３３１と脚部３２との境界となる立上げ線３３２を折り曲げるだけで、人形模型１を立たせることができる。
【００５７】
また、胴体部３の胴部３１の両側面となる位置にそれぞれ六角穴３４，３４が形成されて、その六角穴３４に腕部４の上端４ａのＴ字形の挿込部４１を挿し込む構成であれば、六角形の角部ごとに腕部４の回転を止めることが可能になるので、腕部４を所望する角度にして飾ることができる。また、肘部４４を「くの字状」に曲げることもできる。
【００５８】
そして、このような挿込部４１は、腕部４の延伸方向（中心線４２の延伸方向）と略直交する両方向にそれぞれ突出されるＴ字形の挿込片４１ａ，４１ａを重ね合わせることで、簡単に設けることができる。
【００５９】
さらに、シート材１１に型紙としてマント部６が設けられていて、胴体部３の上端３ａを覆ったマント部６の上部６ａの切込部６１に、頭部５の首部５１の挿入部５１１を挿し込む構成であれば、胴体部３と頭部５とを簡単に接続することができる。
【００６０】
以上、図面を参照して、本発明の実施の形態を詳述してきたが、具体的な構成は、この実施の形態に限らず、本発明の要旨を逸脱しない程度の設計的変更は、本発明に含まれる。
【００６１】
例えば、前記実施の形態では、ペーパークラフトとして動物の人形模型１を例に説明したが、これに限定されるものではなく、人間、ロボットなどの足部のあるペーパークラフトであれば、本発明を適用することができる。
【００６２】
また、前記実施の形態では、胴体部３に六角穴３４を設ける場合について説明したが、これに限定されるものではなく、四角形、五角形、八角形などの多角形の穴部であれば、所望する角度で腕部４の角度を止めることができる。
【００６３】
さらに、前記実施の形態では、マント部６の上部６ａに首部５１の挿入部５１１を挿し込む構成について説明したが、これに限定されるものではなく、胴体部３の上端３ａを水平片で塞いで、その水平片に挿入部５１１を挿し込む切込部を設けることで、マント部６を省略することもできる。
【符号の説明】
【００６４】
１              人形模型（立体模型）
１１            シート材
３              胴体部
３ａ            上端
３２            脚部
３２１          中心線
３３            足部
３３１          折返し線
３３２          立上げ線
３４            六角穴（穴部）
４              腕部
４ａ            上端（端部）
４２            中心線
５              頭部
５１            首部
５１１          挿入部（下端）
６              マント部
６ａ            上部
６１            切込部
【図１】
2019033871.tif 000003
【図２】
2019033871.tif 000004
【図３】
2019033871.tif 000005
【図４】
2019033871.tif 000006
【図５】
2019033871.tif 000007
【図６】
2019033871.tif 000008